(57)【要約】【課題】  足場ユニットを縦穴内において積層組立てする必要がなく、その組立作業を容易かつ短時間に行うことができる足場を提供する。【解決手段】  床板２０が設けられた複数の足場ユニット１２を、連結索１３を介して縦方向へ吊下可能に連接する。施工現場の縦穴１４上に設置した支持用やぐら１５等に上端の足場ユニット１２を支持して、他の足場ユニット１２を縦穴１４内に下降させることにより、複数の足場ユニット１２が縦穴１４の底部付近まで吊り下げ配置されるようにする。【選択図】      図４
2006307505.tif 000002
【特許請求の範囲】
【請求項１】
床板が設けられた複数の足場ユニットを、連結索を介して縦方向へ吊下可能に連接したことを特徴とする足場。
【請求項２】
下端の足場ユニットには、その足場ユニットを昇降させるための昇降索を着脱可能に連結可能な連結部を設けたことを特徴とする請求項１に記載の足場。
【請求項３】
連結索の外周に手摺りを設けたことを特徴とする請求項１または請求項２に記載の足場。
【請求項４】
各足場ユニット間には、吊下状態においてそれらの間の間隔を保持するための間隔保持手段を設けたことを特徴とする請求項１〜請求項３のうちのいずれか一項に記載の足場。
【請求項５】
足場ユニットの床板の外周に増設床板を着脱可能に設けたことを特徴とする請求項１〜請求項４のうちのいずれか一項に記載の足場。
【発明の詳細な説明】
【技術分野】
【０００１】
この発明は、例えば道路橋、鉄道橋、建築構造物の基礎等の深礎杭を施工する場合、施工現場の地面に掘削した縦穴内へコンクリートを打設するのに先立って、鉄筋を組み込む際に使用する足場に関するものである。
【背景技術】
【０００２】
従来、この種の足場としては、例えば次のような構成のものが知られている。すなわち、この従来構成においては、床板と、その床板の外周部に立設された複数の支柱と、その支柱の上端間に支持された天枠とよりなる複数の足場ユニットが用意されている。そして、この足場ユニットをクレーン等で吊下支持した状態で、施工現場の縦穴内に搬入して上下に積層組立てすることにより、縦穴の深さに相当する所定高さの足場を建造していた。
【発明の開示】
【発明が解決しようとする課題】
【０００３】
ところが、この従来の足場においては、多数の足場ユニットを１つずつ縦穴内に搬入して、所定の連結位置に位置決めしながら積層組立てする必要があるため、その組立作業が非常に面倒で時間がかかるという問題があった。
【０００４】
この発明は、このような従来の技術に存在する問題点に着目してなされたものである。その目的は、足場ユニットを１つずつ縦穴内に搬入しながら積層組立てする必要がなく、その組立作業を容易かつ短時間に行うことができる足場を提供することにある。
【課題を解決するための手段】
【０００５】
上記の目的を達成するために、請求項１に記載の発明は、床板が設けられた複数の足場ユニットを、連結索を介して縦方向へ吊下可能に連接したことを特徴とするものである。
請求項２に記載の発明は、請求項１に記載の発明において、下端の足場ユニットには、その足場ユニットを昇降させるための昇降索を連結可能な連結部を設けたことを特徴とするものである。
【０００６】
請求項３に記載の発明は、請求項１または請求項２に記載の発明において、連結索の外周に手摺りを設けたことを特徴とするものである。
請求項４に記載の発明は、請求項１〜請求項３のうちのいずれか一項に記載の発明において、各足場ユニット間には、吊下状態においてそれらの間の間隔を保持するための間隔保持手段を設けたことを特徴とするものである。
【０００７】
請求項５に記載の発明は、請求項１〜請求項４のうちのいずれか一項に記載の発明において、足場ユニットの床板の外周に増設床板を着脱可能に設けたことを特徴とするものである。
【０００８】
（作用）
請求項１に記載の発明においては、施工現場の縦穴上に支持用やぐら等を設置し、その支持用やぐらに上端の足場ユニットを支持して、他の足場ユニットを縦穴内に下降させれば、複数の足場ユニットが連結索を介して縦穴の底部付近まで吊り下げられる。よって、多数の足場ユニットを１つずつ縦穴内に搬入しながら積層組立てする必要がなく、その組立作業を容易かつ短時間に行うことができる。
【０００９】
請求項２に記載の発明においては、下端の足場ユニットに設けられた連結部に昇降索を連結した状態で、その昇降索を介して複数の足場ユニットを縦穴内で容易に昇降させることができる。
【００１０】
請求項３に記載の発明においては、各足場ユニットの床板の周側上部を手摺りにより囲むことができて、各足場ユニットの床板上で縦穴の内周面に対する鉄筋の組み込み作業を安全に行うことができる。
【００１１】
請求項４に記載の発明においては、各足場ユニットを縦穴内で所定の間隔を保持した状態に吊り下げることができ、作業空間を確保できる。
請求項５に記載の発明においては、足場ユニットの床板の外周に増設床板を設けることにより、床板の径を実質的に大きくすることができ、従って、径の大きな深礎杭用の縦穴内の作業に都合がよい。
【発明の効果】
【００１２】
以上のように、この発明によれば、足場ユニットを１つずつ縦穴内に搬入しながら積層組立てする必要がなく、その組立作業を容易かつ短時間に行うことができる。
【発明を実施するための最良の形態】
【００１３】
以下に、この発明の一実施形態を、図面に基づいて説明する。
図１〜図３に示すように、この実施形態においては、深礎杭用足場１１を組立てるための複数の足場ユニット１２が、各４本のチェーンよりなる連結索１３を介して縦方向へ吊下可能に連接して構成されている。そして、道路橋、鉄道橋、建築構造物の基礎等の深礎杭を施工する場合には、図４に示すように、施工現場の地面に掘削した縦穴１４上に、支持用やぐら１５及び吊下用やぐら１６を設置する。この状態で、支持用やぐら１５に上端の足場ユニット１２を支持するとともに、吊下用やぐら１６に上端の連結索１３を連結して、他の足場ユニット１２を縦穴１４内に下降させる。これにより、複数の足場ユニット１２が連結索１３を介して縦穴１４の底部付近まで吊り下げられて、所定高さの深礎杭用足場１１が組み立てられるようになっている。
【００１４】
さらに、この深礎杭用足場１１の組立て状態で、作業者が支持用やぐら１５上から所定高さ位置の足場ユニット１２まで降りて、縦穴１４の内周面に対する鉄筋１７の組み込み作業を行うようになっている。
【００１５】
図１〜図５に示すように、前記足場ユニット１２は、平面ほぼ円形枠状の床板２０と、その床板２０の上部に所定間隔おきで立設された４本の支柱２１と、その支柱２１の上端間に固定支持された平面四角枠状の天枠２２とから構成されている。この構成において、図１から理解されるように、下端側の足場ユニット１２ほど、天枠２２及び支柱２１間の横幅が次第に小さくなるように形成されている。
【００１６】
また、各足場ユニット１２において、４本の支柱２１により間隔保持手段が構成され、それらの支柱２１の下端には連接する下部の足場ユニット１２の天枠２２に係合可能な係合部２３が設けられている。そして、各足場ユニット１２が縦穴１４内に吊り下げられた状態で、係合部２３と天枠２２との係合により、上下に隣接する足場ユニット１２の床板２０間に所定の上下間隔が保持されるようになっている。
【００１７】
図２及び図３に示すように、前記各足場ユニット１２における床板２０の上面には金網２４が張設され、その金網２４の一部には昇降用の開口２５が、上下に隣接する足場ユニット１２において互い違いに位置をずらした状態で形成されている。各足場ユニット１２の開口２５には、蓋板２６がヒンジ２７を介して開閉可能に取り付けられている。開口２５に対応するように、各足場ユニット１２の床板２０と天枠２２との間には昇降用の梯子２８が着脱可能に取り付けられようになっている。
【００１８】
図２、図３及び図５に示すように、前記各足場ユニット１２の床板２０の外周には、必要に応じて複数の扇形の増設床板２９が取り付けられるようになっている。すなわち、施工現場の縦穴１４の内径が大きい場合には、図６の左半部に示すように、各足場ユニット１２の床板２０の外周に増設床板２９を取り付けて、床板２０上の作業面積を拡張するようになっている。これに対して、縦穴１４の内径が小さい場合には、図６の右半部に示すように、各足場ユニット１２の床板２０の外周に増設床板２９を取り付けることなく、鉄筋１７の組み込み作業を行うようになっている。
【００１９】
図１及び図３に示すように、下端の足場ユニット１２の床板２０の中心には連結部３０が設けられている。そして、図４に示すように、この連結部３０に昇降索３１を着脱可能に連結して、吊下用やぐら１６に支持したチェーンブロック３２により、昇降索３１を巻き戻しまたは巻き上げることにより、足場ユニット１２が縦穴１４に対して下降または上昇されるようになっている。
【００２０】
図１及び図５に示すように、足場ユニット１２の吊下状態において、各連結索１３間には索よりなる手摺り３３が着脱可能に取り付けられようになっている。そして、この手摺り３３により、各足場ユニット１２の床板２０の周側上部が取り囲まれて、床板２０上で縦穴１４の内周面に対する鉄筋１７の組み込み作業を安全に行うことができるようになっている。なお、前記増設床板２９を用いる場合は、手摺り３３として長いものを用いて、作業者が増設床板２９上で作業するのを許容するようになっている。従って、この場合は、手摺り３３は、自然状態では、やや垂れ下がる。
【００２１】
次に、前記のように構成された深礎杭用足場１１の組立て方法について説明する。
さて、道路橋、鉄道橋、建築構造物の基礎等の深礎杭を施工する際には、図４に示すように、施工現場の地面に縦穴１４を掘削し、その縦穴１４上に支持用やぐら１５及び吊下用やぐら１６を設置する。そして、支持用やぐら１５に上端の足場ユニット１２を支持するとともに、吊下用やぐら１６に上端の連結索１３を連結する。また、吊下用やぐら１６にチェーンブロック３２を支持するとともに、そのチェーンブロック３２から延びる昇降索３１を下端の足場ユニット１２の連結部３０に連結する。
【００２２】
この状態で、チェーンブロック３２により昇降索３１を巻き戻すと、複数の足場ユニット１２が縦穴１４内に下降されて、連結索１３を介して縦穴１４の底部付近まで吊り下げられ、所定高さの深礎杭用足場１１が組み立てられる。その後、昇降索３１を連結部３０から外して、上方の退避位置に巻き上げる。
【００２３】
この深礎杭用足場１１の組立て状態で、作業者が支持用やぐら１５から梯子２８を利用して所要定高さ位置の足場ユニット１２の床板２０上まで降りて、縦穴１４の内周面に対する鉄筋１７の組み込み作業を行うことができ。
【００２４】
このように、この実施形態の足場においては、複数の足場ユニット１２が連結索１３を介して吊下可能に連接されているため、多数の足場ユニット１２を１つずつ縦穴１４内に搬入しながら積層組立てする必要がなく、足場ユニット１２を縦穴１４の底部付近まで吊り下げればよい。従って、足場の組立作業を容易かつ短時間に行うことができる。
【００２５】
また、縦穴１４内から足場を撤去する場合には、昇降索３１を降ろして、連結部３０に連結する。そして、昇降索３１を巻き上げれば、多数の足場ユニット１２を吊下状態で連続的に引き上げることができて、その撤去作業を容易かつ短時間に行うことができる。
【００２６】
以上に述べた実施形態の効果を列挙すれば、以下の通りである。
・  多数の足場ユニットを１つずつ縦穴１４内に搬入しながら積層組立てする必要がなく、その組立作業を容易かつ短時間に行うことができる。
【００２７】
・  下端の足場ユニット１２に設けられた連結部３０に昇降索３１を連結した状態で、その昇降索３１を介して複数の足場ユニット１２を縦穴１４内で容易に昇降させることができる。
【００２８】
・  各足場ユニット１２の床板２０の周側上部を手摺り３３により囲むことができて、各足場ユニット１２の床板２０上で縦穴１４の内周面に対する鉄筋１７の組み込み作業を安全に行うことができる。
【００２９】
・  各足場ユニット１２を縦穴１４内で所定の間隔を保持した状態に吊り下げることができ、作業空間を確保できる。
・  足場ユニット１２の床板２０の外周に増設床板２９を設けることにより、床板２０の径を実質的に大きくすることができ、従って、径の大きな縦穴１４内の作業に都合がよい。
（変更例）
なお、この実施形態は、次のように変更して具体化することも可能である。
【００３０】
・  前記実施形態において、昇降索３１を使用することなく、連結索１３を介して足場ユニット１２を昇降させるようにすること。
・  前記実施形態において、連結索１３として、チェーンの他、ザイル等の他の手段を用いること。
【図面の簡単な説明】
【００３１】
【図１】一実施形態の足場を収納状態で示す縦断面図。
【図２】図１の２−２線における断面図。
【図３】図１の３−３線における断面図。
【図４】図１の足場を吊下状態で示す部分断面図。
【図５】図４の一部を拡大して示す部分断面図。
【図６】図４の６−６線における拡大断面図。
【符号の説明】
【００３２】
１１…深礎杭用足場、１２…足場ユニット、１３…連結索、１４…縦穴、１５支持用やぐら…、２０…床板、２１…支柱、２２…天枠、２３…係合部、２９…増設床板、３０…連結部、３１…昇降索、３３…手摺り。
【図１】
2006307505.tif 000003
【図２】
2006307505.tif 000004
【図３】
2006307505.tif 000005
【図４】
2006307505.tif 000006
【図５】
2006307505.tif 000007
【図６】
2006307505.tif 000008